(57)【要約】【課題】簡単でわかりやすい操作による長さ調節が可能な中留、帯状装身具、及び時計を提供する。【解決手段】下バンド１６に連結された蓋部２０に、上バンド１５に連結された移動ユニット４０が嵌合された構成を有する中留２であって、蓋部２０にはバンド部１４の長手方向に並ぶ複数の係合孔２１Ｃ、２１Ｄが設けられ、移動ユニット４０は、蓋部２０に収容されるケース４１と、ケース４１から突出して係合孔２１Ｃ、２１Ｄに係合する突出部材４４と、ケース４１表面に露出するボタン４２とを備え、ボタン４２の操作によって突出部材４４がケース４１側に引き込まれる。【選択図】図４
2007312972.tif 000002
【特許請求の範囲】
【請求項１】
一対の帯状体のうち一方に連結された枠体に、他方の前記帯状体に連結された移動ユニットが嵌合された構成を有し、
前記枠体には、前記帯状体の長手方向に並ぶ複数の係合孔が設けられ、
前記移動ユニットは、前記枠体の内側に収容されるケースと、前記ケースから突出して前記係合孔に係合する突起と、前記ケース表面に露出する操作子とを備え、
前記操作子の操作により前記突起が前記ケース側に引き込まれること、
を特徴とする中留。
【請求項２】
前記係合孔は、前記枠体を貫通して前記枠体の外側に開口する孔であること、
を特徴とする請求項１記載の中留。
【請求項３】
前記枠体と前記移動ユニットとの間に、前記帯状体の長手方向に延設されたガイド溝を有する補助枠が介設され、
前記ガイド溝の長手方向の端は、端位置の前記係合孔に前記突起が係合するときに前記突起の側面に当接する位置とされ、
前記操作子の操作により、前記突起は前記補助枠の前記ガイド溝内に収容されるまで引き込まれること、
を特徴とする請求項１または２記載の中留。
【請求項４】
前記枠体と前記移動ユニットとの間に、前記帯状体の長手方向に延設されたガイド溝を有する補助枠が介設され、前記補助枠の前記ガイド溝には前記ケースの端部が嵌合し、
前記ガイド溝の長手方向の端は、端位置の前記係合孔に前記突起が係合するときに前記ケースの側面に当接する位置とされ、
前記操作子の操作により、前記操作子の操作により、前記突起が前記ケース内まで引き込まれること、
を特徴とする請求項１または２記載の中留。
【請求項５】
前記帯状体と前記枠体とは板状部材を介して連結され、前記板状部材を前記枠体に折り重ね可能に構成され、
前記操作子は、前記枠体と前記板状部材とを重ねた状態で前記板状部材により覆われる位置に配設されたこと、
を特徴とする請求項１から４のいずれかに記載の中留。
【請求項６】
一対の帯状体を連結する中留を備えた帯状装身具において、
前記中留は、一方の前記帯状体に連結された枠体に、他方の前記帯状体に連結された移動ユニットが嵌合された構成を有し、
前記枠体には、前記帯状体の長手方向に並ぶ複数の係合孔が設けられ、
前記移動ユニットは、前記枠体の内側に収容されるケースと、前記ケースから突出して前記係合孔に係合する突起と、前記ケース表面に露出する操作子とを備え、
前記操作子の操作により前記突起が前記ケース側に引き込まれること、
を特徴とする帯状装身具。
【請求項７】
時計ケースに連結された一対のバンドと、これら一対のバンドを連結する中留とを備え、
前記中留は、一方の前記バンドに連結された枠体に、他方の前記バンドに連結された移動ユニットが嵌合された構成を有し、
前記枠体には、前記バンドの長手方向に並ぶ複数の係合孔が設けられ、
前記移動ユニットは、前記枠体の内側に収容されるケースと、前記ケースから突出して前記係合孔に係合する突起と、前記ケース表面に露出する操作子とを備え、
前記操作子の操作により前記突起が前記ケース側に引き込まれること、
を特徴とする時計。
【発明の詳細な説明】
【技術分野】
【０００１】
本発明は、中留、この中留を備えた帯状装身具及び時計に関する。
【背景技術】
【０００２】
腕時計のバンド等の帯状装身具には、様々な中留が用いられている。例えば腕時計においては、二つ折れ中留、三つ折れ中留、あるいは両開き（観音開き）中留のような折り畳み型の中留が使用される。このような折り畳み型中留には、中留カバーにバンドに連結された移動部材を移動自在に支持し、この移動部材内に中留の施錠／解錠用のプッシュボタンを係止した構成として、このプッシュボタンの操作によって中留の解錠と、バンド長さの微調整とを可能にしたものが提案されている（例えば、特許文献１）。
【特許文献１】特開２００５−２７０７４８号公報
【発明の開示】
【発明が解決しようとする課題】
【０００３】
しかし、従来のものは、プッシュボタンが中留の解錠と長さ調節との２種類の機能を有するものであり、操作を区別しにくいという問題があった。この問題を解決するための手法としては、中留の解錠操作と長さ調節操作とに対応する操作部を個別に設けることが考えられるが、このような構成を、機構の大型化を伴わずに実現することは困難であった。
本発明は、上述した事情に鑑みてなされたものであり、簡単でわかりやすい操作によって長さ調節が可能な中留、帯状装身具、及び時計を提供することを目的としている。
【課題を解決するための手段】
【０００４】
上記課題を解決するため、本発明は、一対の帯状体のうち一方に連結された枠体に、他方の前記帯状体に連結された移動ユニットが嵌合された構成を有し、前記枠体には、前記帯状体の長手方向に並ぶ複数の係合孔が設けられ、前記移動ユニットは、前記枠体の内側に収容されるケースと、前記ケースから突出して前記係合孔に係合する突起と、前記ケース表面に露出する操作子とを備え、前記操作子の操作により前記突起が前記ケース側に引き込まれること、を特徴とする。
本発明によれば、ケース表面に露出する操作子を操作することにより、突起がケース側に引き込まれて係合孔から離脱し、枠体に対して移動ユニットを移動させることが可能となるので、枠体と移動ユニットとの相対位置、すなわち一対の帯状体の連結位置を移動させて、帯状体全体としての長さを調節できる。これにより、簡単でわかりやすい操作による長さ調節を実現できる。また、中留の構造が枠体と移動ユニットとを用いた非常にシンプルな構成であるため、容易に小型化が可能である。
【０００５】
上記構成において、前記係合孔は、前記枠体を貫通して前記枠体の外側に開口する孔としてもよい。この場合、突起を係合させる係合孔が貫通孔であることから、移動ユニットを移動させた場合に係合孔の位置と突起の位置とが合っているかどうかを目視により確認できる。これにより、より容易に長さ調節を行うことができる。
【０００６】
また、上記構成において、前記枠体と前記移動ユニットとの間に、前記帯状体の長手方向に延設されたガイド溝を有する補助枠が介設され、前記ガイド溝の長手方向の端は、端位置の前記係合孔に前記突起が係合するときに前記突起の側面に当接する位置とされ、前記操作子の操作により、前記突起は前記補助枠の前記ガイド溝内に収容されるまで引き込まれる構成としてもよい。
この構成によれば、操作子の操作によって、突起がガイド溝に収容される位置まで引き込まれた状態で移動ユニットを移動させることが可能となり、端位置の係合孔に突起が係合するときに、突起の側面にガイド溝の端部が当接する。これにより、突起がガイド溝の端部に当接するまで移動ユニットを移動させれば、その位置において突起を係合孔に係合させることができる。すなわち、突起と係合孔との位置合わせを行わなくても、ガイド溝の端に突起が当接する位置を目安として、容易に長さ調節を行うことができる。
【０００７】
また、上記構成において、前記枠体と前記移動ユニットとの間に、前記帯状体の長手方向に延設されたガイド溝を有する補助枠が介設され、前記補助枠の前記ガイド溝には前記ケースの端部が嵌合し、前記ガイド溝の長手方向の端は、端位置の前記係合孔に前記突起が係合するときに前記ケースの側面に当接する位置とされ、前記操作子の操作により、前記突起が前記ケース内まで引き込まれる構成としてもよい。
この構成によれば、操作子の操作によって、突起がケース内まで引き込まれて、ガイド溝にケース端部が嵌合した状態で移動ユニットを移動させることが可能となり、端位置の係合孔に突起が係合するときに、ケースの側面にガイド溝の端部が当接する。これにより、ガイド溝の端部にケースが当接するまで移動ユニットを移動させれば、その位置において突起を係合孔に係合させることができる。すなわち、突起と係合孔との位置合わせを行わなくても、ガイド溝の端にケースが当接する位置を目安として、容易に長さ調節を行うことができる。
【０００８】
さらに、上記構成において、前記帯状体と前記枠体とは板状部材を介して連結され、前記板状部材を前記枠体に折り重ね可能に構成され、前記操作子は、前記枠体と前記板状部材とを重ねた状態で前記板状部材により覆われる位置に配設されたものとしてもよい。
この構成によれば、中留の枠体に板状部材を折り重ねることで、操作子が板状部材で隠されるので、誤って操作子が操作されて帯状体の長さが変わってしまうことがない。これにより、誤操作を確実に防止できる。
【０００９】
また、本発明は、一対の帯状体を連結する中留を備えた帯状装身具において、前記中留は、一方の前記帯状体に連結された枠体に、他方の前記帯状体に連結された移動ユニットが嵌合された構成を有し、前記枠体には、前記帯状体の長手方向に並ぶ複数の係合孔が設けられ、前記移動ユニットは、前記枠体の内側に収容されるケースと、前記ケースから突出して前記係合孔に係合する突起と、前記ケース表面に露出する操作子とを備え、前記操作子の操作により前記突起が前記ケース側に引き込まれること、を特徴とする。
本発明によれば、ケース表面に露出する操作子を操作することにより、突起がケース側に引き込まれて係合孔から離脱し、枠体に対して移動ユニットを移動させることが可能となるので、枠体と移動ユニットとの相対位置、すなわち一対の帯状体の連結位置を移動させて、帯状装身具の長さを調節できる。これにより、簡単でわかりやすい操作による長さ調節が可能な帯状装身具を実現できる。また、枠体と移動ユニットとを用いた非常にシンプルな中留を用いることで、中留の小型化が容易であり、帯状装身具の装飾性を高めることができる。
【００１０】
また、本発明は、時計ケースに連結された一対のバンドと、これら一対のバンドを連結する中留とを備え、前記中留は、一方の前記バンドに連結された枠体に、他方の前記バンドに連結された移動ユニットが嵌合された構成を有し、前記枠体には、前記バンドの長手方向に並ぶ複数の係合孔が設けられ、前記移動ユニットは、前記枠体の内側に収容されるケースと、前記ケースから突出して前記係合孔に係合する突起と、前記ケース表面に露出する操作子とを備え、前記操作子の操作により前記突起が前記ケース側に引き込まれること、を特徴とする。
本発明によれば、ケース表面に露出する操作子を操作することにより、突起がケース側に引き込まれて係合孔から離脱し、枠体に対して移動ユニットを移動させることが可能となるので、枠体と移動ユニットとの相対位置、すなわち一対のバンドの連結位置を移動させて、時計バンドの長さを調節できる。これにより、簡単でわかりやすい操作によるバンドの長さ調節が可能な時計を実現できる。また、枠体と移動ユニットとを用いた非常にシンプルな中留を用いることで、中留の小型化が容易であり、時計の装飾性を高めることができる。
【発明の効果】
【００１１】
本発明は、ケース表面に露出する操作子を操作することにより、突起がケース側に引き込まれて係合孔から離脱し、枠体に対して移動ユニットを移動させることが可能となるようにしたため、枠体と移動ユニットとの相対位置、すなわち一対の帯状体の連結位置を移動させて、帯状装身具の長さを調節でき、簡単でわかりやすい操作による長さ調節を可能とし、さらに、枠体と移動ユニットとを用いた非常にシンプルな中留とすることで、小型化を容易にした。
【発明を実施するための最良の形態】
【００１２】
以下、図面を参照して本発明の実施の形態について説明する。
図１は、本発明を適用した時計の実施形態として、腕時計１の構成を示す外観斜視図である。
この腕時計１は、ムーブメント（図示略）、文字板１２、及び時刻表示針１３を水密構造に収容する時計ケース１１を備える。時計ケース１１には、腕時計１を装着部位（装着者の手首）に固定する帯状装身具としてのバンド部１４が、その上下端部（いわゆる、かん部）に連結されている。バンド部１４は、時計ケース１１に連結された帯状体としての上バンド１５及び下バンド１６を、中留２を介して連結したものである。
上バンド１５は、文字板１２の１２時位置において時計ケース１１に連結され、下バンド１６は、文字板１２の６時位置において時計ケース１１に連結される。これら上バンド１５及び下バンド１６は、ステンレス、チタン等の金属材料で形成された多数のコマを、円滑に回動可能なように連結して構成される。
【００１３】
図２は、中留２を拡げた状態を示す要部斜視図である。
中留２は、いわゆる三折れ方式（三折れプッシュ方式ともいう。）の中留である。中留２は、上バンド１５の端部に連結された枠体としての蓋部２０と、下バンド１６の端部に回動自在に連結された板状部材としての下板３７と、蓋部２０と下板３７とを折り畳み可能に連結する板状部材としての中板３６とを備える。蓋部２０と中板３６との連結部、及び、下板３７と中板３６との連結部は、いずれもピン（図示略）により回動自在に連結され、蓋部２０の下に中板３６と下板３７とを重ねて折り畳むことが可能である。
中板３６は所定の間隔をあけて並ぶ細幅の２枚の板状部材であり、下板３７は、中板３６における間隔より細幅とされた板状部材である。中板３６の一端は蓋部２０の内側において蓋部２０に連結されるので、中板３６の外側の幅は蓋部２０よりも細く構成されている。
【００１４】
図３は、折り畳み状態における中留２の要部断面図であり、特に中板３６と下板３７との位置関係を示す。この図３に示すように、中留２を折り畳むと、中板３６の２枚の板状部材の間に下板３７が挟まれ、３枚の板状部材が並ぶ状態となる。ここで、下板３７の上面が中板３６の上面より一段下がっている。これは、中留２を折り畳む際に、後述するボタン４２の突出部分と下板３７の上面とを接触させないためである。
また、下板３７には、中留２を折り畳んだ状態で保持するための錠止ピン３８が設けられる。錠止ピン３８は、中留２を折り畳む際に、蓋部２０に配設されたボタンユニット３０（図３）に係合して保持され、この保持力によって中留２が折り畳まれた状態が保たれる。ここで、解除操作子としてのプッシュボタン３１が押圧操作されると、ボタンユニット３０による錠止ピン３８の保持状態が解除され、中留２が展開される。
【００１５】
図４は、中留２の構成を示す要部斜視図であり、各部を装着した蓋部２０の裏面側を示す。また、図５は蓋部２０の構成を示す斜視図であり、図６は蓋部２０に収容される案内部材２４の構成を示す斜視図であり、図７は蓋部２０に収容されるボタンユニット３０の構成を示す斜視図である。
蓋部２０は、略長方形の平板部２１の両側端に側壁２２、２３が立ち上がった形状を有する。蓋部２０の長手方向一端部において、側壁２２、２３にはばね棒挿入孔２１Ａが形成され、このばね棒挿入孔２１Ａに挿入されるばね棒により、中板３６が回動自在に連結される。また、蓋部２０の側壁２２、２３には、ばね棒挿入孔２１Ａの他、プッシュボタン挿通孔２１Ｂ、及び、長方形の係合孔２１Ｃ、２１Ｄが形成されている。これらプッシュボタン挿通孔２１Ｂ、及び係合孔２１Ｃ、２１Ｄは、いずれも側壁２２、２３を貫通する貫通孔である。
蓋部２０の内側には、補助枠としての案内部材２４が重ねて配設される。案内部材２４は、略長方形の平板部２５の両側端に側壁２６、２７が立ち上がった形状を有し、蓋部２０とほぼ相似形である。案内部材２４の長さは、蓋部２０の長手方向において、少なくともプッシュボタン挿通孔２１Ｂから係合孔２１Ｄに跨る長さである。案内部材２４の側壁２６、２７には、側壁２２、２３のプッシュボタン挿通孔２１Ｂに重なるプッシュボタン挿通孔２４Ａが形成されている。また、側壁２６、２７にはガイド溝２４Ｂが形成されている。ガイド溝２４Ｂは、案内部材２４の長手方向に延びる長孔であり、少なくとも側壁２２、２３に形成された全ての係合孔２１Ｃ、２１Ｄに跨っている。さらに、平板部２５には、案内部材２４の長手方向に沿ってボタン逃がし部２４Ｃが開口している。
【００１６】
そして、案内部材２４の内側には、ボタンユニット３０と、移動ユニット４０と、移動ユニット４０に連結された上バンド１５の先端部のコマが収容される。
ボタンユニット３０は、蓋部２０の幅方向に延びる筒状の本体と、この本体の両端から各々突出する２つのプッシュボタン３１と、本体の側面に開口する錠止孔３２と、錠止孔３２に露出する２つの係止爪３３とを備える。２つの係止爪３３は、ボタンユニット３０の本体内部において２つのプッシュボタン３１にそれぞれ連結される。２つの係止爪３３は互いに近接するよう付勢されており、この付勢力によって、プッシュボタン３１は、本体の外側へ向けて付勢される。この付勢力に抗して、プッシュボタン３１を本体内部に向けて押圧して移動させると、係止爪３３が互いに離隔する方向に移動する。
【００１７】
このボタンユニット３０は、プッシュボタン３１が、案内部材２４のプッシュボタン挿通孔２４Ａ、及び、蓋部２０のプッシュボタン挿通孔２１Ｂを貫通することによって、蓋部２０及び案内部材２４に取り付けられる。
ここで、ボタンユニット３０の本体は扁平な筒状に構成され、プッシュボタン３１は平板部２５と略平行な平板状に形成される。これに対応して、プッシュボタン挿通孔２１Ｂ及びプッシュボタン挿通孔２４Ａは、蓋部２０の長手方向に延びる長孔となっている。このため、プッシュボタン３１がプッシュボタン挿通孔２４Ａ及びプッシュボタン挿通孔２１Ｂを貫通した状態では、案内部材２４と蓋部２０とは互いに傾かないよう固定され、蓋部２０と案内部材２４とが重なった状態が保たれる。
【００１８】
ボタンユニット３０の錠止孔３２には、中留２が折り畳まれる際に、下板３７に立設された錠止ピン３８が挿入される。錠止孔３２に挿入された錠止ピン３８は、上述のように付勢された一対の係止爪３３によって挟まれ、脱落不能に保持される。ここで、プッシュボタン３１が押圧操作されると、錠止ピン３８を挟む２つの係止爪３３が互いに離隔して錠止ピン３８から離れ、錠止ピン３８の保持が解かれる。これにより、錠止ピン３８を錠止孔３２から引き抜くことが可能となり、中留２が展開可能となる。
このように、ボタンユニット３０は、案内部材２４と蓋部２０とを傾かないよう固定する機能と、中留２を折り畳み状態で保持するとともにプッシュボタン３１の操作に応じて保持を解除する機能とを有する。
【００１９】
また、案内部材２４の内側には、上バンド１５の先端に連結された移動ユニット４０が配設される。この移動ユニット４０は、所定操作により蓋部２０の長手方向に沿って移動可能に構成されており、この移動ユニット４０を移動させることで蓋部２０と上バンド１５との連結位置を変化させて、バンド部１４の長さを調節できる。
【００２０】
図８は、移動ユニット４０とともに上バンド１５の端部を示す斜視図である。図９はボタン４２を取り外した移動ユニット４０の斜視図であり、図１０は横断面図である。また、図１１（Ａ）はボタン４２の構成を示す斜視図であり、図１１（Ｂ）はボタン４２の変形例としてのボタン４３の構成を示す斜視図である。図１２は、ボタン４２を取り付けた状態における移動ユニット４０の縦断面図である。
移動ユニット４０は、中空のケース４１に各部を収容して構成される。ケース４１の上バンド１５側の端部には、第１コマ１５Ａに嵌合するよう細幅の連結部４６が突出しており、連結部４６にはピン挿通孔４６Ａが形成され、このピン挿通孔４６Ａを貫通するピン１５Ｂによって、上バンド１５の第１コマ１５Ａに回動可能に連結される。
【００２１】
ケース４１は、案内部材２４の側壁２６、２７の間に収まる幅とされた箱体であり、その両側面には側面開口部４１Ａが形成され、各々の側面開口部４１Ａから、突起としての突出部材４４が突出する。
図９及び図１０に示すように、突出部材４４は、ケース４１内に収容される略棒状の軸部４４Ｃと、この軸部４４Ｃの先端側に形成された幅広の肩部４４Ｂと、肩部４４Ｂのほぼ中央に立設された細幅の先端部４４Ａと、軸部４４Ｃの基端部に形成されたアングル部４４Ｄとを有する形状となっている。この突出部材４４は、先端部４４Ａ及び肩部４４Ｂがケース４１から外に突出して、案内部材２４のガイド溝２４Ｂ、及び、蓋部２０の係合孔２１Ｃ、２１Ｄに挿入される。
先端部４４Ａは、係合孔２１Ｃ、２１Ｄに挿入可能なサイズに形成される。ここで、先端部４４Ａの断面が係合孔２１Ｃ、２１Ｄよりわずかに小さい長方形であれば、係合孔２１Ｃ、２１Ｄに先端部４４Ａが嵌合することによって、移動ユニット４０が平板部２１に対して回動しないよう固定されるため、より好ましい。
また、突出部材４４のアングル部４４Ｄでは軸部４４Ｃの基端側が直角に曲げられ、Ｌ字形状をなしている。移動ユニット４０が備える２つの突出部材４４は、同一形状及び同一サイズとされていて、一方のアングル部４４Ｄの先端が他方の軸部４４Ｃに突き当たるように組み合わされる。このため、移動ユニット４０の中央部においては、アングル部４４Ｄにより囲まれた方形の空間が形成される。ケース４１の上面には、この空間に相当する位置にボタン嵌込孔４１Ｂが開口しており、このボタン嵌込孔４１Ｂに、操作子としてのボタン４２が嵌め込まれる。また、ボタン嵌込孔４１Ｂが開口した反対側の面には、ボタン逃がし部４１Ｃが開口する。
【００２２】
図１１は、ボタン４２及びその変形例の構成を示す斜視図であり、（Ａ）はボタン４２を示し、（Ｂ）は変形例としてのボタン４３を示す。
図１１（Ａ）に示すように、ボタン４２は、角錐台形状のベース部４２Ａと、このベース部４２Ａに立設された角柱状の細径部４２Ｃと、細径部４２Ｃの先端を幅広に形成した先端部４２Ｄとを有し、先端部４２Ｄは先細り形状となっている。細径部４２Ｃとベース部４２Ａとの境界部分には、ベース部４２Ａ側から細径部４２Ｃ側へかけて次第に細幅となるテーパー部４２Ｂが形成されている。
このボタン４２が上記のボタン嵌込孔４１Ｂに差し込まれると、２つのアングル部４４Ｄにより囲まれる方形の空間に先端部４２Ｄが入り込み、アングル部４４Ｄを押し拡げる。そのままボタン４２を差し入れると、図１２に示すように、２つのアングル部４４Ｄにより細径部４２Ｃが挟まれて安定する。
【００２３】
また、ケース４１内においては、一方の突出部材４４の肩部４４Ｂと他方の突出部材４４のアングル部４４Ｄとの間に、ばね４５が配設される。ばね４５は、２つの突出部材４４の各々を付勢すべく２つ設けられる。ばね４５の付勢力により、各々の２つの突出部材４４は、先端部４４Ａがケース４１の外に突出するとともに、ケース４１内部において２つのアングル部４４Ｄが互いに接近するよう付勢される。
このため、上記のようにボタン４２をボタン嵌込孔４１Ｂに挿入すると、２つのアングル部４４Ｄが、ばね４５の付勢力によって細径部４２Ｃを挟み込み、ボタン４２を脱落不能に支持する。
【００２４】
ボタン嵌込孔４１Ｂに挿入されたボタン４２が、さらに蓋部２０に向けて押圧されると、テーパー部４２Ｂによって２つのアングル部４４Ｄが押し拡げられるとともに、突出部材４４の移動に伴って、先端部４４Ａがケース４１内に移動する。つまり、ボタン４２の押圧操作により、ケース４１から突出する２つの突出部材４４が、ケース４１側に引っ込められる。
このように、移動ユニット４０は、ボタン４２の押圧操作によって突出部材４４が出入りするよう構成されている。
なお、上述のように案内部材２４にはボタン逃がし部２４Ｃが形成されているので、ボタン４２が蓋部２０に向けて押圧された場合は、その先端部４２Ｄがボタン逃がし部２４Ｃに収容される。このため、先端部４２Ｄが案内部材２４に当たるおそれはない。また、蓋部２０の裏面に、ボタン逃がし部２４Ｃに重なる位置に凹部を設けて、蓋部２０に先端部４２Ｄが当たらないようにしてもよい。
【００２５】
また、移動ユニット４０において、図１１（Ａ）に示すボタン４２に代えて、ボタン４３を用いることも可能である。ボタン４３は、円錐台形状のベース部４３Ａに円柱形の細径部４３Ｃを立設し、細径部４３Ｃの先端に円錐台形状の先端部４３Ｄを設けるとともに、ベース部４３Ａと細径部４３Ｃとの間にテーパー部４３Ｂを設けた構成となっている。ボタン４３の構成は、平面投影形状が円形である他はボタン４２と同様であり、ボタン４２と同様の効果が期待できる。
【００２６】
続いて、バンド部１４の長さ調節方法について説明する。
図１３〜図１５は、中留２の要部構成を示す平面図であり、側壁２２、２３及び側壁２６、２７については破断面を示す。
図１３には、移動ユニット４０が下バンド１６側に最も寄っており、バンド部１４が最も短い状態を示す。この図１３の状態で、移動ユニット４０の先端部４４Ａは、側壁２２、２３に設けられた係合孔のうち最も下バンド１６側に位置する係合孔２１Ｃに嵌合する。また、ケース４１から突出した肩部４４Ｂはガイド溝２４Ｂの端に寄っており、ガイド溝端面２４Ｅに接している。
【００２７】
ここでボタン４２が押圧されると、図１４に示すように突出部材４４がケース４１側に引っ込み、先端部４４Ａが係合孔２１Ｃから外れてガイド溝２４Ｂ内に収まる。この状態では、先端部４４Ａがガイド溝２４Ｂ内を自由に移動できるので、移動ユニット４０を移動させることができる。
そして、ボタン４２を押圧したまま移動ユニット４０を上バンド１５側に移動させると、図１５に示すように、肩部４４Ｂがガイド溝２４Ｂの端に達し、ガイド溝端面２４Ｆに当接する。肩部４４Ｂがガイド溝端面２４Ｆに当たったところでボタン４２を押圧する力を弱めると、突出部材４４がケース４１の外側に移動し、先端部４４Ａが係合孔２１Ｄに挿入される。
以上の操作により、移動ユニット４０を係合孔２１Ｃの位置から係合孔２１Ｄの位置まで移動させることができ、これに伴ってバンド部１４が伸長する。また、上記と同様に、ボタン４２を押圧しながら移動ユニット４０を移動させる操作を行えば、容易にバンド部１４を短くすることもできる。
【００２８】
このように、腕時計１においては、下バンド１６に連結された蓋部２０に、上バンド１５に連結された移動ユニット４０を嵌合させ、移動ユニット４０のケース４１に露出するボタン４２を押圧操作することにより、蓋部２０の係合孔２１Ｃ、２１Ｄに嵌合した突出部材４４がケース４１側に引き込まれて、移動ユニット４０が移動可能となるよう構成したので、ボタン４２を押圧する操作によって、移動ユニット４０を移動させて、バンド部１４の長さ調節を行える。これにより、簡単でわかりやすい操作による長さ調節を実現できる。また、中留２の構造は非常にシンプルなため、容易に小型化が可能であり、腕時計１の装飾性を高めることができる。
また、係合孔２１Ｃ、２１Ｄは側壁２２、２３を貫通する貫通孔であるから、係合孔２１Ｃ、２１Ｄを通して突出部材４４の位置を視認できる。このため、ボタン４２を操作して移動ユニット４０を移動させる際に、突出部材４４と係合孔２１Ｃ、２１Ｄの位置を、目視により簡単に合わせることができ、より容易に長さ調節を行うことができる。
【００２９】
そして、中留２を折り畳んだ状態では、蓋部２０に対し、ボタン４２が露出する面に中板３６と下板３７とが重ねられる。このとき、ボタン４２は中板３６及び下板３７によって隠されるので、ボタン４２に対する押圧力が加わることはなく、ボタン４２を意図して操作することもできない。また、図２に示したように下板３７は中板３６の間に挟まれる構成となっているので、中留２の折り畳み状態では、ボタン４２に下板３７が重なることになる。ここで、図３に示したように、下板３７は中板３６よりも一段低くなるため、下板３７がボタン４２に接触することはなく、ボタン４２に押圧力が加わることは全くない。従って、腕時計１の装着状態でバンド部１４の長さが変化することはないので、安定した装着状態を保つことができる。
【００３０】
さらに、突出部材４４の先端部４４Ａが蓋部２０の係合孔２１Ｃに嵌合する位置では、肩部４４Ｂがガイド溝端面２４Ｅに当接する。また、先端部４４Ａが係合孔２１Ｄに嵌合する位置では、肩部４４Ｂがガイド溝端面２４Ｅに当接する。従って、装着者は、ガイド溝端面２４Ｅ、２４Ｆを目安にして移動ユニット４０を移動させればよい。すなわち、ボタン４２を押下しながら移動ユニット４０を移動させる際に、肩部４４Ｂがガイド溝端面２４Ｅ、２４Ｆに当たる手応えがあった位置でボタン４２の押圧を解けば、先端部４４Ａが滑らかに係合孔２１Ｃ、２１Ｄに挿入される。このため、先端部４４Ａの位置を目視する等、位置合わせをする必要がないので、容易にバンド部１４の長さを調節できる。
【００３１】
なお、上記実施の形態においては、蓋部２０に係合孔２１Ｃ、２１Ｄが並べて形成された構成としたが、本発明はこれに限定されるものではなく、より多くの係合孔を並べて形成してもよい。この場合、ガイド溝２４Ｂのガイド溝端面２４Ｅ、２４Ｆは、最も端に位置する係合孔に先端部４４Ａが嵌合するときに、肩部４４Ｂが当接する位置にすればよい。
【００３２】
また、移動ユニット４０が側壁２６、２７の間に収まり、ボタン４２の押圧操作時に、ケース４１から突出する突出部材４４の肩部４４Ｂ及び先端部４４Ａがガイド溝２４Ｂ内を移動する構成としたが、本発明はこれに限定されるものではなく、例えば、ケース４１の両端がガイド溝２４Ｂまで達していて、先端部４４Ａがケース４１内に完全に引っ込む構成としてもよい。この例について、図１６〜図１８を参照して説明する。
【００３３】
図１６〜図１８は、変形例としての蓋部２０の要部構成を示す一部破断平面図である。
この変形例では、図１６に示すように、ケース端部４１Ｄがガイド溝２４Ｂに入り込んでおり、このケース端部４１Ｄから先端部４４Ａが突出して係合孔２１Ｃに嵌合している。ここでボタン４２が押圧操作されると、図１７に示すように、先端部４４Ａが完全にケース４１内に収容される。この状態では、ケース端部４１Ｄがガイド溝２４Ｂに収容されているので、ケース端部４１Ｄがガイド溝２４Ｂに沿って移動する範囲において、移動ユニット４０を移動させることができる。従って、例えば図１８に示すように、移動ユニット４０を上バンド１５側に移動させて、ボタン４２の押圧を解き、突出部材４４を係合孔２１Ｄに嵌合させることができる。
【００３４】
また、図１６に示すように、突出部材４４の先端部４４Ａが蓋部２０の係合孔２１Ｃに嵌合する位置では、ケース端部４１Ｄがガイド溝端面２４Ｅに当接する。また、先端部４４Ａが係合孔２１Ｄに嵌合する位置では、ケース端部４１Ｄがガイド溝端面２４Ｅに当接する。従って、装着者は、ガイド溝端面２４Ｅ、２４Ｆを目安にして移動ユニット４０を移動させればよい。すなわち、ボタン４２を押下しながら移動ユニット４０を移動させる際に、ケース端部４１Ｄがガイド溝端面２４Ｅ、２４Ｆに当たる手応えがあった位置で、ボタン４２の押圧を解けば、先端部４４Ａが滑らかに係合孔２１Ｃ、２１Ｄに挿入される。このため、先端部４４Ａの位置を目視する等、位置合わせをする必要がないので、容易にバンド部１４の長さを調節できる。
このように、図１６〜図１８に示す例では、ケース端部４１Ｄがガイド溝２４Ｂに嵌合し、ボタン４２の操作により突出部材４４が完全にケース４１に収容される構成とした場合にも、上記実施の形態と同様の効果が得られる。
【００３５】
また、上記実施の形態においては、ボタンユニット３０のプッシュボタン３１を平板形状とし、これに対応して、案内部材２４のプッシュボタン挿通孔２４Ａを長孔とすることで、案内部材２４が蓋部２０に対して傾かないよう固定していた。本発明はこれに限定されるものではなく、例えば図１９に示すように、蓋部２０と案内部材２４とが接する面において案内部材２４にボス２４Ｄを設け、このボス２４Ｄに対応する凹部（図示略）を蓋部２０に設けてもよい。この場合、蓋部２０と案内部材２４とは、プッシュボタン３１と、ボス２４Ｄとによって、互いに傾かないように固定される。
【００３６】
また、上記実施の形態で説明した腕時計１の細部構成については任意であり、例えば、ケース４１を成形する手順として、図２０に示すように、平板の中央部を連結部４６に対応させて細幅にし、この中央部を境にして折り畳むことでケース４１を成形してもよい。この場合、完成時に側面開口部４１Ａ及び中空部となるよう溝を形成し、この溝に開口部を設けてボタン嵌込孔４１Ｂ、ボタン逃がし部４１Ｃとすればよい。また、折り畳み時に境となる部分に丸溝を設けてピン挿通孔４６Ａとすればよい。これはあくまで一例であり、他の方法によりケース４１を成形することも可能であるし、その他の部分の成形方法等も任意である。
また、上記実施の形態において、上バンド１５及び下バンド１６は、金属材料で形成された駒を多数連結して構成されるものに限定されず、例えば、皮バンド、ウレタン・ゴム等のラバー系バンドであってもよく、その他の細部構成についても適宜変更可能である。
さらに、本発明は、上記実施の形態で説明した三折れ方式の中留に限らず、二つ折れ方式の中留、両開き中留等にも広く適用可能である。また、上記においては腕時計のバンドに本発明を適用した例について説明したが、ブレスレット、ネックレス、衣服用のベルト、バッグ等の携帯品のベルト等、各種の帯状装身具に広く適用可能である。
【図面の簡単な説明】
【００３７】
【図１】実施の形態に係る腕時計の概略構成を示す斜視図である。
【図２】中留を拡げた状態を示す要部斜視図である。
【図３】折り畳み状態における中留の要部断面図である。
【図４】中留の構成を示す要部斜視図である。
【図５】蓋部の構成を示す斜視図である。
【図６】蓋部に収容される案内部材の構成を示す斜視図である。
【図７】蓋部に収容されるボタンユニットの構成を示す斜視図である。
【図８】移動ユニット及び上バンド端部の構成を示す斜視図である。
【図９】ボタンを取り外した移動ユニットの斜視図である。
【図１０】ボタンを取り外した移動ユニットの横断面図である
【図１１】ボタンの構成を示す斜視図である。
【図１２】蓋部の縦断面図である。
【図１３】中留の要部構成を示す一部破断平面図である。
【図１４】中留の要部構成を示す一部破断平面図である。
【図１５】中留の要部構成を示す一部破断平面図である。
【図１６】変形例における中留の要部構成を示す一部破断平面図である。
【図１７】変形例における中留の要部構成を示す一部破断平面図である。
【図１８】変形例における中留の要部構成を示す一部破断平面図である。
【図１９】変形例における案内部材の構成を示す図である。
【図２０】移動ユニットの成形方法の一例を示す図である。
【符号の説明】
【００３８】
１…腕時計（時計）、２…中留、１１…時計ケース、１４…バンド部（帯状装身具）、１５…上バンド（帯状体、バンド）、１６…下バンド（帯状体、バンド）、２０…蓋部（枠体）、２１…平板部、２１Ｂ…プッシュボタン挿通孔、２１Ｃ、２１Ｄ…係合孔、２２、２３…側壁、２４…案内部材（補助枠）、２４Ａ…プッシュボタン挿通孔、２４Ｂ…ガイド溝、２４Ｃ…ボタン逃がし部、２４Ｄ…ボス、２５…平板部、２６、２７…側壁、３０…ボタンユニット、３１…プッシュボタン、３６…中板（板状部材）、３７…下板（板状部材）、３８…錠止ピン、４０…移動ユニット、４１…ケース、４２、４３…ボタン（操作子）、４４…突出部材（突起）。
【図１】
2007312972.tif 000003
【図２】
2007312972.tif 000004
【図３】
2007312972.tif 000005
【図４】
2007312972.tif 000006
【図５】
2007312972.tif 000007
【図６】
2007312972.tif 000008
【図７】
2007312972.tif 000009
【図８】
2007312972.tif 000010
【図９】
2007312972.tif 000011
【図１０】
2007312972.tif 000012
【図１１】
2007312972.tif 000013
【図１２】
2007312972.tif 000014
【図１３】
2007312972.tif 000015
【図１４】
2007312972.tif 000016
【図１５】
2007312972.tif 000017
【図１６】
2007312972.tif 000018
【図１７】
2007312972.tif 000019
【図１８】
2007312972.tif 000020
【図１９】
2007312972.tif 000021
【図２０】
2007312972.tif 000022
【手続補正書】
【提出日】平成19年3月5日(2007.3.5)
【手続補正１】
【補正対象書類名】明細書
【補正対象項目名】０００２
【補正方法】変更
【補正の内容】
【０００２】
腕時計のバンド等の帯状装身具には、様々な中留が用いられている。例えば腕時計においては、二つ折れ中留、三つ折れ中留、あるいは両開き（観音開き）中留のような折り畳み型の中留が使用される。このような折り畳み型中留には、中留カバーにバンドに連結された移動部材を移動自在に支持し、この移動部材内に中留の施錠／解錠用のプッシュボタンを係止した構成として、このプッシュボタンの操作によって中留の解錠と、バンド長さの微調整とを可能にしたものが提案されている（例えば、特許文献１）。
【特許文献１】特開２００５−２７０２４８号公報